(57)【要約】【課題】四角柱状の本体と収納ケースをそれぞれ設けることにより要するコストを低減するとともに、陳列台としての使用状態において、梱包用の部材が邪魔とならないとともに、四角柱状の本体の側面に折り畳み用の折れ線が形成されることによる見栄えの悪さを解消することができる陳列台を提供する。【解決手段】陳列台は、本体部５と、いれこ状に組んで略十字状にできる一対の補強板部と、補強板部の上面に載置する設置ユニットとを有し、本体部５は、正面部１０と、左側面部２０を有する左側面側ユニット２０Ａと、右側面部４０を有する右側面側ユニット４０Ａと、底面部８０と、背面部７０と、左側板部１００と、右側板部１１０と、延長板部６２、１２２とを有し、設置ユニットは、補強板部に載置する商品載置板部と商品載置板部から連設された後板部とを有している。【選択図】図６
2014144078.tif 000002
【特許請求の範囲】
【請求項１】
陳列台であって、
本体部（５）と、本体部内に収納される一対の補強板部（１５０）と、本体部に設置される設置ユニット（１３０）とを有し、
本体部と補強板部と設置ユニットとが、シート状のブランクにより形成され、
本体部が、
略方形状の外形を有する正面部（１０）と、
正面部の左側面側の辺部から連設された左側面側ユニットで、
正面部の左側面側の辺部から連設された左側面部で、正面部側から正面部側の反対側に向けて上方に傾斜した上辺を有する左側面部（２０）と、
左側面部の正面部とは反対側の辺部から連設された第１差込み片部（２２）と、
左側面部の上辺から連設された第１内沿い板部で、左側面部の上辺における背面側の端部から形成された辺部である第１辺部を有する第１内沿い板部（２６）と、
第１内沿い板部の第１辺部から連設された第１フラップ部（３２）と、
を有し、第１内沿い板部の第１フラップ部側の端部に設置ユニットの突状部を係止するための被係止部（Ｋ１）が形成された左側面側ユニット（２０Ａ）と、
正面部の右側面側の辺部から連設された右側面側ユニットで、
正面部の右側面側の辺部から連設された右側面部で、正面部側から正面部側の反対側に向けて上方に傾斜した上辺を有する右側面部（４０）と、
右側面部の正面部とは反対側の辺部から連設された第２差込み片部（４２）と、
右側面部の上辺から連設された第２内沿い板部で、右側面部の上辺における背面側の端部から形成された辺部である第２辺部を有する第２内沿い板部（４６）と、
第２内沿い板部の第２辺部から連設された第２フラップ部（５２）と、
を有し、第２内沿い板部の第２フラップ部側の端部に設置ユニットの突状部を係止するための被係止部（Ｋ２）が形成された右側面側ユニット（４０Ａ）と、
正面部の上辺から連設された第１延長板部（６２）と、
正面部の下辺から連設された底面部で、左右方向に形成された折れ線を介して折曲げ可能に形成された底面部（８０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、いれこ状に組んで略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、
陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項２】
左側面部の上辺から連設され左側面部の上辺に沿って形成された第１帯状部が形成され、第１内沿い板部が、第１帯状部を介して左側面部の上辺から連設され、
右側面部の上辺から連設され右側面部の上辺に沿って形成された第２帯状部が形成され、第２内沿い板部が、第２帯状部を介して右側面部の上辺から連設され、
正面部の上辺から連設され正面部の上辺に沿って形成された第３帯状部が形成され、第１延長板部が、第３帯状部を介して正面部の上辺から連設され、
背面部の上辺から連設され背面部の上辺に沿って形成された第４帯状部が形成され、第２延長板部が、第４帯状部を介して背面部の上辺から連設され、
底面部が、正面部側の端部に左右方向に形成された第５帯状部を有し、第５帯状部が正面部の下辺から連設されていることを特徴とする請求項１に記載の陳列台。
【請求項３】
本体部が、正面部と左側面側ユニットと右側面側ユニットとを有する第１のブランクと、背面部と左側板部と右側板部と第２延長板部と底面部とを有する第２のブランクとから構成され、底面部の背面部とは反対側の辺部から糊代部（９０）が連設され、該糊代部が、正面部の下端領域に接着されていることを特徴とする請求項１又は２に記載の陳列台。
【請求項４】
陳列台であって、
本体部（５）と、本体部内に収納される一対の補強板部（１５０）と、本体部に設置される設置ユニット（１３０）とを有し、
本体部が、本体部第１構成部（Ａ１）と本体部第２構成部（Ａ２）とを有し、
本体部第１構成部と本体部第２構成部と補強板部と設置ユニットとが、シート状のブランクにより形成され、
本体部第１構成部が、
略方形状の外形を有する正面部（１０）と、
正面部の左側面側の辺部から連設された左側面側ユニットで、
正面部の左側面側の辺部から連設された左側面部で、正面部側から正面部側の反対側に向けて上方に傾斜した上辺を有する左側面部（２０）と、
左側面部の正面部とは反対側の辺部から連設された第１差込み片部（２２）と、
左側面部の上辺から連設され左側面部の上辺に沿って形成された第１帯状部（２４）と、
第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、
第１内沿い板部の第１辺部から連設された第１フラップ部（３２）と、
を有し、第１内沿い板部の第１フラップ部側の端部に設置ユニットの突状部を係止するための被係止部（Ｋ１）が形成された左側面側ユニット（２０Ａ）と、
正面部の右側面側の辺部から連設された右側面側ユニットで、
正面部の右側面側の辺部から連設された右側面部で、正面部側から正面部側の反対側に向けて上方に傾斜した上辺を有する右側面部（４０）と、
右側面部の正面部とは反対側の辺部から連設された第２差込み片部（４２）と、
右側面部の上辺から連設され右側面部の上辺に沿って形成された第２帯状部（４４）と、
第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、
第２内沿い板部の第２辺部から連設された第２フラップ部（５２）と、
を有し、第２内沿い板部の第２フラップ部側の端部に設置ユニットの突状部を係止するための被係止部（Ｋ２）が形成された右側面側ユニット（４０Ａ）と、
正面部の上辺から連設され正面部の上辺に沿って形成された第３帯状部（６０）と、
第３帯状部の正面部とは反対側の辺部から連設された第１延長板部（６２）と、を有し、
本体部第２構成部が、
左右方向に形成された折れ線を介して折曲げ可能に形成され、正面部側の端部に左右方向に形成された第５帯状部を有する底面部（８０）と、
底面部の第５帯状部の正面部側の辺部から連設され正面部に接着された糊代部で、底面部との間の折れ線が正面部の下辺に沿って形成された糊代部（９０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設され背面部の上辺に沿って形成された第４帯状部（１２０）と、
第４帯状部の背面部とは反対側の辺部から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、いれこ状に組んで略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態でいれこ状に組んで略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、
陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項５】
第１内沿い板部において、左側面部側の辺部と第１辺部の接点から形成された第１折れ線で左側面側ユニットの展開状態において、左右方向に形成された第１折れ線が形成され、
第２内沿い板部において、右側面側の辺部と第２辺部の接点から形成された第２折れ線で右側面側ユニットの展開状態において、左右方向に形成された第２折れ線が形成され、
陳列台を梱包状態とする際に、左側面側ユニットを第１折れ線を介して二つ折りとし、右側面側ユニットを第２折れ線を介して二つ折りとすることを特徴とする請求項１又は２又は３又は４に記載の陳列台。
【請求項６】
陳列台であって、
本体部（５）と、本体部内に収納される一対の補強板部（１５０）と、本体部に設置される設置ユニット（１３０）とを有し、
本体部と補強板部と設置ユニットとが、シート状のブランクにより形成され、
本体部が、
略方形状の外形を有する正面部（１０）と、
正面部の左側面側の辺部から連設された左側面側ユニットで、
正面部の左側面側の辺部から連設された左側面部（２０）と、
左側面部の正面部とは反対側の辺部から連設された第１差込み片部（２２）と、を有する左側面側ユニット（２０Ａ）と、
正面部の右側面側の辺部から連設された右側面側ユニットで、
正面部の右側面側の辺部から連設された右側面部（４０）と、
右側面部の正面部とは反対側の辺部から連設された第２差込み片部（４２）と、を有する右側面側ユニット（４０Ａ）と、
正面部の上辺から連設された第１延長板部（６２）と、
正面部の下辺から連設された底面部で、左右方向に形成された折れ線を介して折曲げ可能に形成された底面部（８０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、いれこ状に組んで略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、
陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項７】
第２延長板部の第２構成部に設けられた係止部と第１延長板部に設けられた係止部の一方が第３差込み片部（１２７）であり、他方が該第３差込み片部を差し込むための被差込み部（Ｋ３）であることを特徴とする請求項１又は２又は３又は４又は５又は６に記載の陳列台。
【請求項８】
設置ユニットの商品載置板部において、後板部が連設された辺部以外の３つの辺部からフラップ部が連設され、陳列台の組立て状態において、商品載置板部から連設された各フラップ部は、本体部の内側に配置されることを特徴とする請求項１又は２又は３又は４又は５又は６又は７に記載の陳列台。
【発明の詳細な説明】
【技術分野】
【０００１】
本発明は、店頭において商品を陳列する陳列台に関するものである。
【背景技術】
【０００２】
従来より、店頭において商品を陳列する陳列台で、折り畳んで梱包した状態から組み立てることができるものとして、特許文献１〜特許文献３に示すものが存在する。
【０００３】
特許文献１に記載の組立式展示台は、四角柱状の本体と、該本体内に対角線状に挿入されて、本体を四角柱状に保持し補強するＸ字型の補強部材と、該補強部材の上に被せて展示物を載置する床板と、これらを収納する収納ケースからなり、梱包を開き、本体のガセット折り曲げ線を延ばして本体を四角柱状となし、補強部材と床板を挿入し、本体を組み立てた後、収納ケースの底面板をバックボードとして使用する。
【０００４】
また、特許文献２に記載の販売台においては、直方体状の収納箱と、四角柱体を形成するスタンド部と、ディスプレーパネルと、スタンド部の中に組み込まれた支持体と、支持体の上部に置く商品載置板とが一体的に連結された状態から組み立てられ、かつ、組み立て前には、収納箱と、スタンド部と、ディスプレーパネルと、支持体と、商品載置板とが折り畳まれて収納箱の中に収納される。
【０００５】
また、特許文献３の陳列台は、直方体状の収納箱と、収納箱の底板と共に四角柱体を形成するスタンド形成部と、ディスプレーパネルと、支持体と、商品載置板を有し、収納箱とスタンド形成部とディスプレーパネルを、一体的に連結させ、且つ折り畳んで、残る支持体と商品載置板も併せて収納箱に収納させるものである。
【先行技術文献】
【特許文献】
【０００６】
【特許文献１】特開２０１１−３６５号公報
【特許文献２】特開２００６−２５５２８３号公報
【特許文献３】特開２０００−８３７７７号公報
【発明の概要】
【発明が解決しようとする課題】
【０００７】
しかし、上記特許文献１〜特許文献３に記載の構成においては、四角柱状の本体（スタンド部、スタンド形成部）と収納ケース（収納箱）とが別の構成となっていて、陳列台としての使用状態においては、収納ケースを構成する部材を四角柱状の本体の背面側に配置しておくので、収納ケースを構成する部材のためのコストが余分に掛かり、また、陳列台としての使用状態では、収納ケースを構成する部材（梱包用の部材）が邪魔となってしまう。
【０００８】
また、特許文献１〜特許文献３に記載の構成においては、四角柱状の本体の側面に縦方向に折れ線を設けて、該折れ線を介して該側面を折り畳む構成であるので、四角柱状の本体を四角柱状に組み立てた状態では、該折れ線が側面に視認できてしまうので、見栄えが悪いという支障がある。
【０００９】
そこで、本発明は、四角柱状の本体と収納ケースをそれぞれ設けることにより要するコストを低減するとともに、陳列台としての使用状態において、梱包用の部材が邪魔とならないとともに、四角柱状の本体の側面に折り畳み用の折れ線が形成されることによる見栄えの悪さを解消することができる陳列台を提供することを目的とするものである。
【課題を解決するための手段】
【００１０】
本発明は上記問題点を解決するために創作されたものであって、第１には、陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設された第１内沿い板部で、左側面部の上辺における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設された第２内沿い板部で、右側面部の上辺における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする。
【００１１】
上記第１の構成の陳列台によれば、背面部と底面部と正面部と第１延長板部と左側板部と右側板部と第２延長板部を用いて梱包した状態とすることができ、本体部の構成部材（すなわち、組立て状態を維持するために必要な部材）を梱包用の部材として利用するので、収納ケースを別途設ける必要がなく、コストを低減することができ、また、そもそも収納ケースが別途設けられないので、陳列台の使用状態（つまり、組立て状態）において、収納ケースを構成する部材が邪魔になることもない。また、背面部と底面部と正面部と第１延長板部と左側板部と右側板部と第２延長板部が梱包用の部材といえるが、これらは、略四角柱状の一部を構成するとともに、底面部、左側板部及び右側板部は、陳列台の組立て状態において見えない位置にあるので、梱包用の部材が邪魔となることがない。
【００１２】
また、左側面部と右側面部と正面部と背面部は、それ自体折り畳む構成としなくても梱包状態とすることができ、よって、これらの部材に折り畳み用の折れ線が形成されないので、陳列台の使用状態において、見栄えが悪くなることがない。
【００１３】
なお、上記第１の構成を以下としてもよい。すなわち、「陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設された第１内沿い板部で、左側面部の上辺における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設された第２内沿い板部で、右側面部の上辺における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるととも右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。
【００１４】
なお、上記構成において、第３差込み片部を「係止片部」とし、第１延長板部の被差込み部を「係止片部を係止するための被係止部」としてもよい。
【００１５】
また、第２には、上記第１の構成において、左側面部の上辺から連設され左側面部の上辺に沿って形成された第１帯状部が形成され、第１内沿い板部が、第１帯状部を介して左側面部の上辺から連設され、右側面部の上辺から連設され右側面部の上辺に沿って形成された第２帯状部が形成され、第２内沿い板部が、第２帯状部を介して右側面部の上辺から連設され、正面部の上辺から連設され正面部の上辺に沿って形成された第３帯状部が形成され、第１延長板部が、第３帯状部を介して正面部の上辺から連設され、背面部の上辺から連設され背面部の上辺に沿って形成された第４帯状部が形成され、第２延長板部が、第４帯状部を介して背面部の上辺から連設され、底面部が、正面部側の端部に左右方向に形成された第５帯状部を有し、第５帯状部が正面部の下辺から連設されていることを特徴とする。
【００１６】
これにより、陳列台を組立て状態とする際に、第１内沿い板部を左側面部に対して折り返した状態にするのが容易となり、第２内沿い板部を右側面部に対して折り返した状態にするのが容易となり、第１延長板部を正面部に対して折り返した状態にするのが容易となり、第２延長板部を背面部に対して折り返した状態にするのが容易となり、梱包状態とする際に、正面部を底面部に対して折り返した状態にするのが容易となる。
【００１７】
また、第３には、上記第１又は第２の構成において、本体部が、正面部と左側面側ユニットと右側面側ユニットとを有する第１のブランクと、背面部と左側板部と右側板部と第２延長板部と底面部とを有する第２のブランクとから構成され、底面部の背面部とは反対側の辺部から糊代部（９０）が連設され、該糊代部が、正面部の下端領域に接着されていることを特徴とする。
【００１８】
また、第４には、陳列台であって、本体部（５）と、本体部内に収納される一対の補強板部（１５０）と、本体部に設置される設置ユニット（１３０）とを有し、本体部が、本体部第１構成部（Ａ１）と本体部第２構成部（Ａ２）とを有し、本体部第１構成部と本体部第２構成部と補強板部と設置ユニットとが、シート状のブランクにより形成され、本体部第１構成部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設され左側面部の上辺に沿って形成された第１帯状部（２４）と、第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設され右側面部の上辺に沿って形成された第２帯状部（４４）と、第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設され正面部の上辺に沿って形成された第３帯状部（６０）と、第３帯状部の正面部とは反対側の辺部から連設された第１延長板部（６２）と、を有し、本体部第２構成部が、左右方向に形成された折れ線を介して折曲げ可能に形成され、正面部側の端部に左右方向に形成された第５帯状部を有する底面部（８０）と、底面部の第５帯状部の正面部側の辺部から連設され正面部に接着された糊代部で、底面部との間の折れ線が正面部の下辺に沿って形成された糊代部（９０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設され背面部の上辺に沿って形成された第４帯状部（１２０）と、第４帯状部の背面部とは反対側の辺部から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態でいれこ状に組んで略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする陳列台。
【００１９】
上記第４の構成の陳列台によれば、背面部と底面部と正面部と第１延長板部と左側板部と右側板部と第２延長板部を用いて梱包した状態とすることができ、本体部の構成部材（すなわち、組立て状態を維持するために必要な部材）を梱包用の部材として利用するので、収納ケースを別途設ける必要がなく、コストを低減することができ、また、そもそも収納ケースが別途設けられないので、陳列台の使用状態（つまり、組立て状態）において、収納ケースを構成する部材が邪魔になることもない。また、背面部と底面部と正面部と第１延長板部と左側板部と右側板部と第２延長板部が梱包用の部材といえるが、これらは、略四角柱状の一部を構成するとともに、底面部、左側板部及び右側板部は、陳列台の組立て状態において見えない位置にあるので、梱包用の部材が邪魔となることがない。
【００２０】
また、左側面部と右側面部と正面部と背面部は、それ自体折り畳む構成としなくても梱包状態とすることができ、よって、これらの部材に折り畳み用の折れ線が形成されないので、陳列台の使用状態において、見栄えが悪くなることがない。
【００２１】
また、第１帯状部〜第５帯状部が設けられているので、陳列台を組立て状態とする際に、第１内沿い板部を左側面部に対して折り返した状態にするのが容易となり、第２内沿い板部を右側面部に対して折り返した状態にするのが容易となり、第１延長板部を正面部に対して折り返した状態にするのが容易となり、第２延長板部を背面部に対して折り返した状態にするのが容易となり、梱包状態とする際に、正面部を底面部に対して折り返した状態にするのが容易となる。
【００２２】
なお、上記第４の構成を以下としてもよい。すなわち、「陳列台であって、本体部（５）と、本体部内に収納される一対の補強板部（１５０）と、本体部に設置される設置ユニット（１３０）とを有し、本体部が、本体部第１構成部（Ａ１）と本体部第２構成部（Ａ２）とを有し、本体部第１構成部と本体部第２構成部と補強板部と設置ユニットとが、シート状のブランクにより形成され、本体部第１構成部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設され左側面部の上辺に沿って形成された第１帯状部（２４）と、第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設され右側面部の上辺に沿って形成された第２帯状部（４４）と、第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設され正面部の上辺に沿って形成された第３帯状部（６０）と、第３帯状部の正面部とは反対側の辺部から連設された第１延長板部（６２）と、を有し、本体部第２構成部が、左右方向に形成された折れ線を介して折曲げ可能に形成され、正面部側の端部に左右方向に形成された第５帯状部を有する底面部（８０）と、底面部の第５帯状部の正面部側の辺部から連設された糊代部で、底面部との間の折れ線が正面部の下辺に沿って形成された糊代部（９０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設され背面部の上辺に沿って形成された第４帯状部（１２０）と、第４帯状部の背面部とは反対側の辺部から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態でいれこ状に組んで略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。
【００２３】
また、第５には、上記第１から第４までのいずれかの構成において、第１内沿い板部において、左側面部側の辺部と第１辺部の接点から形成された第１折れ線で左側面側ユニットの展開状態において、左右方向に形成された第１折れ線が形成され、第２内沿い板部において、右側面側の辺部と第２辺部の接点から形成された第２折れ線で右側面側ユニットの展開状態において、左右方向に形成された第２折れ線が形成され、陳列台を梱包状態とする際に、左側面側ユニットを第１折れ線を介して二つ折りとし、右側面側ユニットを第２折れ線を介して二つ折りとすることを特徴とする。このように、左側面側ユニットと右側面側ユニットとを二つ折りにするので、梱包を容易とすることができる。
【００２４】
また、第６には、陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部（２０）と、左側面部の正面部とは反対側の辺部から連設された第１差込み片部（２２）と、を有する左側面側ユニット（２０Ａ）と、正面部の右側面側の辺部から連設された右側面側ユニットで、正面部の右側面側の辺部から連設された右側面部（４０）と、右側面部の正面部とは反対側の辺部から連設された第２差込み片部（４２）と、を有する右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする。
【００２５】
上記第６の構成の陳列台によれば、背面部と底面部と正面部と第１延長板部と左側板部と右側板部と第２延長板部を用いて梱包した状態とすることができ、本体部の構成部材（すなわち、組立て状態を維持するために必要な部材）を梱包用の部材として利用するので、収納ケースを別途設ける必要がなく、コストを低減することができ、また、そもそも収納ケースが別途設けられないので、陳列台の使用状態（つまり、組立て状態）において、収納ケースを構成する部材が邪魔になることもない。また、背面部と底面部と正面部と第１延長板部と左側板部と右側板部と第２延長板部が梱包用の部材といえるが、これらは、略四角柱状の一部を構成するとともに、底面部、左側板部及び右側板部は、陳列台の組立て状態において見えない位置にあるので、梱包用の部材が邪魔となることがない。
【００２６】
また、左側面部と右側面部と正面部と背面部は、それ自体折り畳む構成としなくても梱包状態とすることができ、よって、これらの部材に折り畳み用の折れ線が形成されないので、陳列台の使用状態において、見栄えが悪くなることがない。
【００２７】
なお、上記第６の構成を以下としてもよい。すなわち、「陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部（２０）と、左側面部の正面部とは反対側の辺部から連設された第１差込み片部（２２）と、を有する左側面側ユニット（２０Ａ）と、正面部の右側面側の辺部から連設された右側面側ユニットで、正面部の右側面側の辺部から連設された右側面部（４０）と、右側面部の正面部とは反対側の辺部から連設された第２差込み片部（４２）と、を有する右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、いれこ状に組んで略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態でいれこ状に組んで略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。
【００２８】
また、第７には、上記第１から第６までのいずれかの構成又は第６の構成において、第２延長板部の第２構成部に設けられた係止部と第１延長板部に設けられた係止部の一方が第３差込み片部（１２７）であり、他方が該第３差込み片部を差し込むための被差込み部（Ｋ３）であることを特徴とする。
【００２９】
また、第８には、上記第１から第７までのいずれかの構成において、設置ユニットの商品載置板部において、後板部が連設された辺部以外の３つの辺部からフラップ部が連設され、陳列台の組立て状態において、商品載置板部から連設された各フラップ部は、本体部の内側に配置されることを特徴とする。
【発明の効果】
【００３０】
本発明に基づく陳列台によれば、背面部と底面部と正面部と第１延長板部と左側板部と右側板部と第２延長板部を用いて梱包した状態とすることができ、本体部の構成部材（すなわち、組立て状態を維持するために必要な部材）を梱包用の部材として利用するので、収納ケースを別途設ける必要がなく、コストを低減することができ、また、収納ケースが別途設けられないので、陳列台の使用状態（つまり、組立て状態）において、収納ケースを構成する部材が邪魔になることもない。また、左側面部と右側面部と正面部と背面部は、それ自体折り畳む構成としなくても梱包状態とすることができ、よって、これらの部材に折り畳み用の折れ線が形成されないので、陳列台の使用状態において、見栄えが悪くなることがない。
【図面の簡単な説明】
【００３１】
【図１】陳列台の組立て状態における右側面側からの前方斜視図である。
【図２】陳列台の組立て状態における左側面側からの前方斜視図である。
【図３】陳列台の組立て状態における後方斜視図である。
【図４】本体部第１構成部の展開図である。
【図５】本体部第２構成部の展開図である。
【図６】本体部の展開図である。
【図７】設置ユニットの展開図である。
【図８】補強板部の平面図である。
【図９】陳列台の梱包状態を示す斜視図である。
【図１０】陳列台の梱包状態から組立て状態へ移行する態様を示す斜視図である。
【図１１】陳列台の梱包状態から組立て状態へ移行する態様を示す斜視図である。
【図１２】陳列台の梱包状態から組立て状態へ移行する態様を示す斜視図である。
【図１３】陳列台の梱包状態から組立て状態へ移行する態様を示す斜視図である。
【図１４】陳列台の梱包状態から組立て状態へ移行する態様を示す斜視図である。
【図１５】陳列台の梱包状態から組立て状態へ移行する態様を示す斜視図である。
【図１６】陳列台の梱包状態から組立て状態へ移行する態様を示す斜視図である。
【図１７】陳列台の梱包状態から組立て状態へ移行する態様を示す斜視図である。
【発明を実施するための形態】
【００３２】
本発明においては、四角柱状の本体と収納ケースをそれぞれ設けることにより要するコストを低減するとともに、陳列台としての使用状態において、梱包用の部材が邪魔とならないとともに、四角柱状の本体の側面に折り畳み用の折れ線が形成されることによる見栄えの悪さを解消することができる陳列台を提供するという目的を以下のようにして実現した。
【００３３】
本発明に基づく陳列台１は、商品を載置して商品を陳列するための陳列台であり、図１〜図８に示すように構成され、本体部５と、本体部５内に設置される設置ユニット（「取付けユニット」としてもよい）１３０と、本体部５内に設置される一対の補強板部１５０とを有している。設置ユニット１３０と一対の補強板部１５０における各補強板部１５０は、それぞれ１枚のシート状のブランク（具体的には、段ボール（特に、両面段ボール）、厚紙等）により形成されている。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００３４】
ここで、本体部５は、図１〜図６に示すように構成され、図１〜図３に示すように、組立て時には四角筒状の筒状体を有する構成であり、図４に示す展開状態の本体部第１構成部Ａ１と図５に示す展開状態の本体部第２構成部Ａ２とから構成されている。本体部第１構成部（本体部構成ユニット）Ａ１と本体部第２構成部Ａ２とは、それぞれ１枚のシート状のブランク（具体的には、段ボール、厚紙等）により形成されている。なお、図６は、本体部５の展開状態を示すが、本体部５を組立て状態とした場合の内側の面を示している。
【００３５】
ここで、本体部第１構成部Ａ１は、図１〜図４、図６に示すように、正面部１０と、正面部１０の左側面側の辺部から連設された左側面部２０と、左側面部２０の正面部１０側とは反対側の辺部から突出して形成された差込み片部２２と、左側面部２０の上辺から連設された帯状部２４と、帯状部２４の左側面部２０側とは反対側の辺部から連設された内沿い板部２６と、内沿い板部２６の帯状部２４側と反対側の辺部から連設されたフラップ部３２と、正面部１０の右側面側の辺部から連設された右側面部４０と、右側面部４０の正面部１０側とは反対側の辺部から突出して形成された差込み片部４２と、右側面部４０の上辺から連設された帯状部４４と、帯状部４４の右側面部４０側とは反対側の辺部から連設された内沿い板部４６と、内沿い板部４６の帯状部４４側とは反対側の辺部から連設されたフラップ部５２と、正面部１０の上辺に沿って形成された帯状部６０と、帯状部６０の正面部１０側とは反対側の辺部から連設された延長板部６２とを有している。
【００３６】
また、本体部第２構成部Ａ２は、底面部８０と、底面部８０の正面部１０側の辺部から連設された糊代部９０と、底面部８０の糊代部９０側とは反対側の辺部から連設された背面部７０と、背面部７０の左側面側の辺部から連設された左側板部１００と、背面部７０の右側面側の辺部から連設された右側板部１１０と、背面部７０の上辺から連設された帯状部１２０と、帯状部１２０の背面部７０側とは反対側の辺部から連設された延長板部１２２とを有している。
【００３７】
正面部１０は、方形状を呈し（つまり、上辺と下辺は平行に形成され、左側面側の辺部と右側面側の辺部とは平行に形成され、隣接する辺部は直角に形成されていて、方形状（略方形状としてもよい）の外形を有している）、陳列台１の組立て状態において、陳列台１の正面側の側面を構成する。
【００３８】
また、左側面部２０は、正面部１０の左側面側の辺部から折れ線Ｃ１を介して連設され、上辺が傾斜した台形形状を呈している。つまり、左側面部２０の下辺は、本体部５の展開状態において、正面部１０の下辺の延長線上にあり、左側面部２０の背面側の辺部は左側面部２０の正面側の辺部と平行に形成され、左側面部２０の上辺は、正面側から背面側にいくに従い上方に傾斜した直線状の辺部となっている。
【００３９】
また、差込み片部（第１差込み片部）（「係止片部」としてもよい）２２は、左側面部２０の正面部１０とは反対側の辺部に沿って略帯状に形成されている。つまり、中央部分が最も幅広で上端と下端にいくほど若干幅狭となる帯状を呈している。また、帯状部２４は、左側面部２０の上辺から折れ線Ｃ１１を介して該上辺に沿って帯状に形成され、内沿い板部２６を左側面部２０に対して折り返すのを容易にするために形成されている。
【００４０】
また、内沿い板部（第１内沿い板部）２６は、帯状部２４の辺部から折れ線Ｃ１２（折れ線Ｃ１２は折れ線Ｃ１１と平行である）を介して連設され、直角三角形を呈し、具体的には、帯状部２４との間の辺部２６ａを傾斜辺とした直角三角形であり、内沿い板部２６における帯状部２４との間の辺部２６ａ以外の２つの辺部２６ｂ、２６ｃが直角をなしている。この内沿い板部２６には、辺部２６ａと辺部２６ｃとが接する角部から伸びた折れ線（第１折れ線）Ｃ１３が形成され、この折れ線Ｃ１３は、本体部第１構成部Ａ１の展開状態において、左側面部２０の下辺と平行に形成され、内沿い板部２６が、折れ線Ｃ１３を介して、第１構成部２８と第２構成部３０とに区画される。陳列台１を梱包状態とした際には、この折れ線Ｃ１３を介して内沿い板部２６が折曲される。また、内沿い板部２６の第２構成部３０には、辺部２６ｃに沿って、設置ユニット１３０の後板部１３４の突状部１３８ａが嵌合するための帯状の開口部（被係止部）Ｋ１が形成されている。なお、内沿い板部２６において、辺部２６ｂと折れ線Ｃ１２間の角度α２は、折れ線Ｃ１１と左右方向（水平方向（左側面部２０の下辺の方向））の間の角度α１と同一に形成され、これにより、陳列台１の組立て状態において、辺部２６ｂが水平となる。また、左側面部２０の背面側の辺部と折れ線Ｃ１１間の角度β１は、折れ線Ｃ１２と折れ線Ｃ１４間の角度β２と同一に形成され、これにより内沿い板部２６を左側面部２０に対して折り返した際に、折れ線Ｃ１４が左側面部２０の背面側の辺部と平行になる。なお、開口部Ｋ１の代わりに、切込み（例えば、略コ字状の切込み）により被係止部を形成してもよい。略コ字状の切込みの場合には、開口部Ｋ１を構成する四辺のうち折れ線Ｃ１４の延長線上の辺部以外の三辺に切込みを形成し、フラップ部３２は、内沿い板部２６側に突出した方形状の突状部（該突状部とフラップ部３２間には折れ線は形成されない）を有する構成となる。
【００４１】
また、フラップ部（第１フラップ部）３２は、内沿い板部２６の辺部２６ｃから折れ線Ｃ１４を介して連設され、略台形形状を呈している。このフラップ部３２は、陳列台１の組立て状態においては、背面部７０の正面側の面に当接する。
【００４２】
なお、正面部１０の左側面側の辺部から連設された部分、すなわち、左側面部２０と内沿い板部２６とフラップ部３２とで左側面側ユニット２０Ａが構成される。
【００４３】
また、右側面部４０は、本体部第１構成部Ａ１の展開状態において、左側面部２０と線対称（左右対称）に形成されている。すなわち、右側面部４０は、正面部１０の右側面側の辺部から折れ線Ｃ２を介して連設され、上辺が傾斜した台形形状を呈している。つまり、右側面部４０の下辺は、本体部５の展開状態において、正面部１０の下辺の延長線上にあり、右側面部４０の背面側の辺部は右側面部４０の正面側の辺部と平行に形成され、右側面部４０の上辺は、正面側から背面側にいくに従い上方に傾斜した直線状の辺部となっている。
【００４４】
また、差込み片部（第２差込み片部）（「係止片部」としてもよい）４２は、右側面部４０の正面部１０とは反対側の辺部に沿って略帯状に形成されている。つまり、中央部分が最も幅広で上端と下端にいくほど若干幅狭となる帯状を呈している。また、帯状部４４は、右側面部４０の上辺から折れ線Ｃ２１を介して該上辺に沿って帯状に形成され、内沿い板部４６を右側面部４０に対して折り返すのを容易にするために形成されている。
【００４５】
また、内沿い板部（第２内沿い板部）４６は、本体部第１構成部Ａ１の展開状態において、内沿い板部２６と線対称（左右対称）に形成されている。すなわち、内沿い板部４６は、帯状部４４の辺部から折れ線Ｃ２２を介して連設され、直角三角形を呈し、具体的には、帯状部４４との間の辺部４６ａを傾斜辺とした直角三角形であり、内沿い板部４６における帯状部４４との間の辺部４６ａ以外の２つの辺部４６ｂ、４６ｃが直角をなしている。この内沿い板部４６には、辺部４６ａと辺部４６ｃとが接する角部から伸びた折れ線（第２折れ線）Ｃ２３が形成され、この折れ線Ｃ２３は、本体部第１構成部Ａ１の展開状態において、右側面部４０の下辺と平行に形成され、内沿い板部４６が、折れ線Ｃ２３を介して、第１構成部４８と第２構成部５０とに区画される。陳列台１を梱包状態とした際には、この折れ線Ｃ２３を介して内沿い板部４６が折曲される。また、内沿い板部４６の第２構成部５０には、辺部４６ｃに沿って、設置ユニット１３０の後板部１３４の突状部１３８ｂが嵌合するための帯状の開口部（被係止部）Ｋ２が形成されている。なお、開口部Ｋ２の代わりに、切込み（例えば、略コ字状の切込み）により被係止部を形成してもよい。略コ字状の切込みの場合には、開口部Ｋ２を構成する四辺のうち折れ線Ｃ２４の延長線上の辺部以外の三辺に切込みを形成し、フラップ部５２は、内沿い板部４６側に突出した方形状の突状部（該突状部とフラップ部５２間には折れ線は形成されない）を有する構成となる。
【００４６】
また、フラップ部（第２フラップ部）５２は、内沿い板部４６の辺部４６ｃから折れ線Ｃ２４を介して連設され、略台形形状を呈している。このフラップ部５２は、陳列台１の組立て状態においては、背面部７０の正面側の面に当接する。
【００４７】
なお、正面部１０の右側面側の辺部から連設された部分、すなわち、右側面部４０と内沿い板部４６とフラップ部５２とで右側面側ユニット４０Ａが構成される。本体部第１構成部Ａ１の展開状態において、右側面側ユニット４０Ａは、左側面側ユニット２０Ａと線対称（左右対称）に形成されている。
【００４８】
また、帯状部６０は、正面部１０の上辺に沿って帯状に形成され、延長板部６２を正面部１０に対して折り返すのを容易にするために形成されている。つまり、帯状部６０は、正面部１０の上辺から折れ線Ｃ３を介して連設されている。
【００４９】
また、延長板部（第１延長板部）６２は、帯状部６０の辺部から折れ線Ｃ４（折れ線Ｃ４は折れ線Ｃ３と平行である）を介して連設され、方形状を呈し、延長板部６２には、延長板部１２２の第２構成部１２６における差込み片部１２７を差し込むための開口部（被差込み部（被係止部としてもよい））Ｋ３が形成されている。延長板部６２の横方向（左右方向）（Ｘ１−Ｘ２方向）の長さは、正面部１０に対して折り返しを容易とするために、正面部１０の横方向（左右方向）の長さｈ１よりも短く形成され、また、横方向（左右方向）に対する直角方向の長さ（帯状部６０側の辺部と帯状部６０側の辺部とは反対側の辺部間の長さ）ｈ４や開口部Ｋ３の形成位置は、差込み片部１２７を開口部Ｋ３に差し込むことができる長さに形成されている。すなわち、図６に示すように、本体部第１構成部Ａ１と本体部第２構成部Ａ２とを展開状態にした状態で、開口部Ｋ３の下端位置から正面部１０の下端位置までの長さｈ５と延長板部１２２の第２構成部１２６の基端位置から差込み片部１２７の突出部１２７ａの基端位置までの長さｈ６との和（ｈ５＋ｈ６）が、背面部７０の上辺から下辺までの長さｈ７１と略同一又であるか、又は、ｈ５＋ｈ６がｈ７１よりも若干長く形成されている。なお、開口部Ｋ３の代わりに、切込み（例えば、略コ字状の切込み）により被差込み部（被係止部）を形成してもよい。略コ字状の切込みの場合には、開口部Ｋ３を構成する四辺のうち延長板部６２の先端側の左右方向の辺部以外の三辺に切込みを形成する。つまり、左右方向の切込みと、該左右方向の切込みの両側の端部から延長板部６２の先端側（帯状部６０側とは反対側）に伸びた切込みにより略コ字状に被差込み部を構成する。また、開口部Ｋ３の代わりに、切欠き状とし、該切欠き状の部分（被差込み部）に差込み片部１２７を差し込むようにしてもよい。該切欠き状の部分の構成としては、例えば、図４や図６において、延長板部６２の先端から形成された逆Ｔ字状の切欠きが考えられる。
【００５０】
なお、本体部第１構成部Ａ１において、正面部１０の下辺と左側面部２０の下辺と右側面部４０の下辺とは、直線状を呈している。
【００５１】
また、背面部７０は、方形状を呈し（つまり、上辺と下辺は平行に形成され、左側面側の辺部と右側面側の辺部とは平行に形成され、隣接する辺部は直角に形成されていて、方形状（略方形状としてもよい）の外形を有している）、横方向（左右方向）の長さｈ７は、正面部１０の横方向（左右方向）の長さｈ１と同一（略同一としてもよい）の長さに形成されている。また、背面部７０の縦方向（横方向と直角方向）の長さｈ７１は、正面部１０の縦方向（Ｚ１−Ｚ２方向）の長さｈ１１よりも長く形成され、左側面部２０の縦方向の長さ（最大長さ）ｈ２１や右側面部４０の縦方向の長さ（最大長さ）ｈ３１と略同一又は若干長く形成されている。
【００５２】
また、底面部８０は、背面部７０の下辺から折れ線Ｃ３０を介して連設され、方形状を呈し、その横方向（左右方向）の長さは、陳列台１を梱包状態とする際に、底面部８０を折り返した状態で背面部７０側に容易に折り返すことができるように、背面部７０の横方向（左右方向）の長さよりも短く形成されている。また、底面部８０の横方向とは直角方向（前後方向（Ｙ１−Ｙ２方向））の長さｈ８は、左側面部２０の横方向（前後方向）の長さｈ２や右側面部４０の横方向（前後方向）の長さｈ３と略同一に形成されている。底面部８０は、陳列台１を組み立てた状態では、本体部５の底面を構成する。
【００５３】
この底面部８０には、正面部１０の下辺や背面部７０の下辺に対して平行な２本の折れ線が形成され、第１構成部８２と、第１構成部８２と折れ線Ｃ３１を介して連設された第２構成部８４と、第２構成部８４の第１構成部８２側とは反対側の辺部から折れ線Ｃ３２を介して連設された帯状部８６とに区画されている。帯状部８６は、陳列台１を梱包状態とする際に、第２構成部８４を正面部１０側に容易に折り返すことができるように形成され、また、第１構成部８２の左右方向と直角方向の長さｈ８１と第２構成部８４の左右方向と直角方向の長さｈ８２とは略同一に形成されている。これにより、陳列台１を梱包状態とする際に、底面部８０を折れ線Ｃ３１を介して折曲した状態とした際に、折れ線Ｃ３０と折れ線Ｃ３２とが一致する。底面部８０において、折れ線Ｃ３０と折れ線Ｃ３１と折れ線Ｃ３２と折れ線Ｃ３３とは互いに平行に形成されている。
【００５４】
また、糊代部９０は、底面部８０の背面部７０側とは反対側の辺部から折れ線Ｃ３３を介して連設され、帯状の台形形状を呈している。糊代部９０は、正面部１０の内側の面（梱包状態では、外側の面となる）に接着され、正面部１０の下辺と折れ線Ｃ３３とを一致させた状態（つまり、折れ線Ｃ３３は正面部１０の下辺に沿って形成されている）で、正面部１０の下端領域に接着されている。
【００５５】
また、左側板部１００は、背面部７０の左側面側の辺部から折れ線Ｃ４１を介して連設され、背面部７０の左側面側の辺部に沿って帯状を呈し、台形形状を呈している。すなわち、左側板部１００の下辺は、本体部第２構成部Ａ２の展開状態において、背面部７０の下辺の延長線上にあり、左側板部１００の折れ線Ｃ４１とは反対側の辺部は折れ線Ｃ４１と平行に形成され、左側板部１００の上辺は、正面側から背面側にいくに従い上方に傾斜した直線状の辺部となっている。
【００５６】
また、左側板部１００は、折れ線Ｃ４１と平行な折れ線Ｃ４２を介して第１構成部１０２と第２構成部１０４とに区画されている。第１構成部１０２の幅ｈ９１は、陳列台１の梱包状態において、折り畳んだ状態の底面部８０を背面部７０と第２構成部１０４とで挟んだ状態とできる長さに形成されている。また、右側面部１００の折れ線Ｃ４１側の端部位置には、折れ線Ｃ４１に沿って差込み片部２２を差し込むための帯状の開口部（被差込み部（被係止部としてもよい））Ｋ４が形成されている。なお、開口部Ｋ４の代わりに、切込み（例えば、略コ字状の切込み）により被差込み部を形成してもよい。略コ字状の切込みの場合には、開口部Ｋ４を構成する四辺のうち折れ線Ｃ４１の延長線上の辺部以外の三辺に切込みを形成し、背面部７０は、左側板部１００側に突出した帯状の突状部（該突状部と背面部７０間には折れ線は形成されない）を有する構成となる。
【００５７】
また、右側板部１１０は、本体部第２構成部Ａ２の展開状態において、左側板部１００と線対称（左右対称）に形成されている。すなわち、右側板部１１０は、背面部７０の右側面側の辺部から折れ線Ｃ５１を介して連設され、背面部７０の右側面側の辺部に沿って帯状を呈し、台形形状を呈している。すなわち、右側板部１１０の下辺は、本体部第２構成部Ａ２の展開状態において、背面部７０の下辺の延長線上にあり、右側板部１１０の折れ線Ｃ５１とは反対側の辺部は折れ線Ｃ５１と平行に形成され、右側板部１１０の上辺は、正面側から背面側にいくに従い上方に傾斜した直線状の辺部となっている。
【００５８】
また、右側板部１１０は、折れ線Ｃ５１と平行な折れ線Ｃ５２を介して第１構成部１１２と第２構成部１１４とに区画されている。第１構成部１１２の幅ｈ９２は、陳列台１の梱包状態において、折り畳んだ状態の底面部８０を背面部７０と第２構成部１０４とで挟んだ状態とできる長さに形成されている。また、右側板部１１０の折れ線Ｃ５１側の端部位置には、折れ線Ｃ５１に沿って差込み片部４２を差し込むための帯状の開口部（被差込み部（被係止部としてもよい））Ｋ５が形成されている。なお、開口部Ｋ５の代わりに、切込み（例えば、略コ字状の切込み）により被差込み部を形成してもよい。略コ字状の切込みの場合には、開口部Ｋ５を構成する四辺のうち折れ線Ｃ５１の延長線上の辺部以外の三辺に切込みを形成し、背面部７０は、右側板部１１０側に突出した帯状の突状部（該突状部と背面部７０間には折れ線は形成されない）を有する構成となる。
【００５９】
なお、左側板部１００と右側板部１１０とは、陳列台１の梱包状態の場合に収納された設置ユニット１３０や補強板部１５０が脱落するのを防止する機能を有するが、左側板部１００や右側板部１１０には、差込み片部を差し込むための開口部Ｋ４、Ｋ５が形成されていて、その意味では、陳列台１の組立て状態を維持するためにも機能しているといえる。
【００６０】
また、帯状部１２０は、背面部７０の上辺に沿って帯状に形成され、延長板部１２２を背面部７０に対して折り返すのを容易にするために形成されている。つまり、帯状部１２０は、背面部７０の上辺から折れ線Ｃ６１を介して連設されている。また、延長板部（第２延長板部）１２２は、帯状部１２０の背面部７０側とは反対側の辺部から折れ線Ｃ６２を介して連設され、略方形状を呈し、折れ線Ｃ６３を介して背面部７０側の第１構成部１２４と、背面部７０側とは反対側の第２構成部１２６とに区画されている。第２構成部１２６における帯状部１２０側とは反対側の辺部に一対の切欠部Ｋ１１、Ｋ１２が形成され、一対の切欠部Ｋ１１、Ｋ１２間の部分が切欠部Ｋ１１の外側の辺部１２６ａ及び切欠部Ｋ１２の外側の辺部１２６ｂよりも突出した形状を呈している。切欠部Ｋ１１と切欠部Ｋ１２間の部分で辺部１２６ａ、１２６ｂよりも突出した領域を突出部１２７ａとする。折れ線Ｃ６１と折れ線Ｃ６２と折れ線Ｃ６３と辺部１２６ａ、１２６ｂとは互いに平行となっている。なお、切欠部Ｋ１１と切欠部Ｋ１２間の片部で突出部１２７ａを含む片部が差込み片部（第３差込み片部）１２７となる。差込み片部１２７と開口部Ｋ３（又は開口部に代わる切込み）とは、それぞれ、互いに係合する係止部であり、それぞれ第２構成部１２６と延長板部６２が係合するための係止部となる。なお、延長板部１２２と延長板部６２にそれぞれ設けられる係止部としては、互いに係合する構成であればよく、例えば、それぞれの先端に設けられた切欠部で互いに噛み合う切欠き部としてもよい。
【００６１】
なお、正面部１０と左側面部２０と右側面部４０と背面部７０の各部材とは、それ自体折り曲げて折り畳む構成とはなっておらず、正面部１０と左側面部２０と右側面部４０と背面部７０の各部材には、折れ線は形成されていない。
【００６２】
次に、設置ユニット１３０は、図１、図２、図７に示すように構成され、商品載置板部１３２と、商品載置板部１３２の正面側の辺部から折れ線を介して連設されたフラップ部１４０と、商品載置板部１３２の左側面側の辺部から折れ線を介して連設されたフラップ部１４２と、商品載置板部１３２の右側面側の辺部から折れ線を介して連設されたフラップ部１４４と、商品載置板部１３２の背面側の辺部から折れ線を介して連設された後板部１３４とを有している。
【００６３】
ここで、商品載置板部１３２は、方形状を呈し、組立て状態の本体部５の内側に配置できる大きさに形成されている。すなわち、横方向（左右方向）の長さｉ１は、正面部１０の横方向（左右方向）の長さｈ１と略同一の長さ（厳密には若干短い長さ）に形成され、横方向（左右方向）と直角方向（前後方向）の長さｉ２は、左側面部２０の横方向の長さｈ２や右側面部４０の横方向の長さｈ３と略同一の長さ（厳密には若干短い長さ）に形成されている。また、長さｉ２は、背面部７０の横方向の長さｈ７よりも短く形成され、商品載置板部１３２と後板部１３４間の折れ線Ｃ７を介して折曲した状態で、陳列台１の梱包状態で、背面部７０と左側板部１００と右側板部１１０とで囲まれた空間内に収納できるようになっている。
【００６４】
また、後板部１３４は、方形状の左右に突出部１３８ａ、１３８ｂを形成した形状を呈し、方形状の後板部本体部１３６と、後板部本体部１３６の左側面側の辺部から突出した突状部（第１突状部）１３８ａと、後板部本体部１３６の右側面側の辺部から突出した突状部（第２突状部）１３８ｂとを有している。突状部１３８ａ、１３８ｂは、帯状（縦長長方形状）を呈している。なお、後板部１３４の縦方向の長さｉ３は、陳列台１の組立て状態において、設置ユニット１３０が一対の補強板部１５０上に配置され、突状部１３８ａが開口部Ｋ１に嵌合するとともに、突状部１３８ｂが開口部Ｋ２に嵌合した状態で、後板部１３４が、背面部７０に対して正面側に折り返された延長板部１２２の先端側の領域に重なり、少なくとも、延長板部１２２の一対の切欠部Ｋ１１、Ｋ１２をカバーして一対の切欠部Ｋ１１、Ｋ１２を視認できなくすることができる長さに形成されている。また、長さｉ３は、長さｉ２よりも短く形成されている。
【００６５】
次に、補強板部１５０は、略方形状（つまり、角部にアールが形成された方形状）の横方向の辺部（長辺）の中央から該辺部に対して直角にスリット状の切欠部Ｋ２０が形成されたものであり、これにより、切欠部Ｋ２０同士を係止することにより、一対の補強板部１５０を十字のいれこ状に組むことができる。なお、補強板部１５０の一対の長辺は互いに平行であり、一対の短辺は互いに平行である。また、補強板部１５０の横方向の長さｊ１は、正面部１０の横方向の長さｈ１よりも長く形成され、組立て状態の本体部５内の空間に対角状に配置できる長さに形成されている。また、補強板部１５０の縦方向の長さｊ２は、正面部１０の縦方向の長さｈ１１よりも短く形成され、商品載置板部１３２を一対の補強板部１５０上に配置した際に、商品載置板部１３２が正面部１０の上端よりも下方位置となる長さに形成されている。
【００６６】
陳列台１の組立て状態においては、図１〜図３に示すように、差込み片部２２が開口部Ｋ４に差し込まれ、差込み片部４２が開口部Ｋ５に差し込まれて、正面部１０と左側面部２０と右側面部４０と背面部７０とで四角柱状（略四角柱状としてもよい）に形成され、正面部１０と背面部７０とは平行に設けられ、左側面部２０と右側面部４０とは平行に設けられる。また、正面部１０と左側面部２０と右側面部４０と背面部７０とにおいて、隣接する部材は直角となる。また、左側板部１００は、左側面部２０の内側に沿って位置し、右側板部１１０は、右側面部４０の内側に沿って位置する。
【００６７】
また、陳列台１の組立て状態においては、一対の補強板部１５０は、切欠部Ｋ２０同士を係合することにより一対の補強板部１５０を交差した状態で本体部５内に収納される。その際、各補強板部１５０は、本体部５内で対角状に設けられる。また、延長板部６２は、正面部１０に対して内側に折り返された状態となり、内沿い板部２６は、左側面部２０に対して内側に折り返された状態となり、内沿い板部４６は、右側面部４０に対して内側に折り返された状態となり、延長板部１２２は、背面部７０に対して内側に折り返された状態となる。また、フラップ部３２とフラップ部５２とは、背面部７０と延長板部１２２とにより挟まれた状態となる。
【００６８】
また、設置ユニット１３０については、商品載置板部１３２が、一対の補強板部１５０上に載置され、フラップ部１４０は、延長板部６２の内側に沿って位置し、フラップ部１４２は、左側面部２０及び左側板部１００の内側に沿って位置し、フラップ部１４４は、右側面部４０及び右側板部１１０の内側に沿って位置し、後板部１３４については、突状部１３８ａが開口部Ｋ１に嵌合するとともに、突状部１３８ｂが開口部Ｋ２に嵌合して、後板部１３４が、延長板部１２２（特に、先端領域）及び背面部７０の内側に沿って位置している。
【００６９】
一方、陳列台１の梱包状態においては、図９に示すように、延長板部１２２の差込み片部１２７が延長板部６２の開口部Ｋ３に差し込まれた状態であり、本体部５の内部、すなわち、背面部７０と、左側板部１００と、右側板部１１０と、正面部１０及び延長板部６２とで囲まれた空間内に折曲した状態の設置ユニット１３０と一対の補強板部１５０が収納されている。なお、左側板部１００の第２構成部１０４と右側板部１１０の第２構成部１１４とは、正面部１０及び延長板部６２の内側に配置され、第２構成部１０４と背面部７０とで折曲した状態の底面部８０を挟むとともに、第２構成部１１４と背面部７０とで折曲した状態の底面部８０を挟んだ状態となっている。また、左側面側ユニット２０Ａ（つまり、左側面部２０と内沿い板部２６とフラップ部３２）は展開した状態で正面部１０に対して折り返されるとともに、右側面側ユニット４０Ａ（つまり、右側面部４０と内沿い板部４６とフラップ部５２）は展開した状態で正面部１０に対して折り返されて、左側面側ユニット２０Ａと右側面側ユニット４０Ａとは、正面部１０及び延長板部６２の内側に設けられている（図１１参照）。その際、左側面側ユニット２０Ａと右側面側ユニット４０Ａとは重なった状態となっている（図１１参照）。また、左側面側ユニット２０Ａは、折れ線Ｃ１３を介して二つ折りとされ、右側面側ユニット４０Ａは、折れ線Ｃ２３を介して二つ折りとされる。これにより、正面部１０、帯状部６０及び延長板部６２と背面部７０との間に、左側面側ユニット２０Ａや右側面側ユニット４０Ａや設置ユニット１３０や一対の補強板部１５０が配置される。なお、図１１では、正面部１０に対して左側面側ユニット２０Ａが折り返され、さらに、右側面側ユニット４０Ａが折り返されているが、正面部１０に対して右側面側ユニット４０Ａが折り返され、さらに、左側面側ユニット２０Ａが折り返された状態で梱包してもよい。
【００７０】
また、一対の補強板部１５０は、切欠部Ｋ２０同士を係合した状態で、重ね合わせた状態にしておくのが好ましい。つまり、一対の補強板部１５０を図１５のように切欠部Ｋ２０同士を係合した状態とし、さらに、一対の補強板部１５０を重ね合わせた状態としておく。このようにしておくことにより、一対の補強板部１５０を略十字状となるように互いに回動させるのみで、本体部５内に配置することができる。
【００７１】
なお、陳列台１の梱包状態では、本体部５は、組立て状態において外側となる面を内側とするのが好ましい。すなわち、梱包状態で本体部５に汚れが付着した場合でも、梱包状態における外側の面を内側にして組み立てることにより汚れが外部から見えることがないので、組立て状態において外側となる面を内側とする。
【００７２】
次に、陳列台１の使用状態について説明する。まず、図９に示す梱包状態から開口部Ｋ３に差し込まれている差込み片部１２７を開口部Ｋ３から抜き、延長板部１２２を開いた状態とし、延長板部１２２を背面部７０が設置されている面に接するようにして、延長板部１２２を背面部７０と面一の状態とする（図１０参照）。つまり、延長板部１２２が背面部７０と同一平面上にあるようにする。
【００７３】
次に、図１１に示すように、正面部１０及び延長板部６２を正面部１０の下辺を中心に外側に回動させて、正面部１０及び延長板部６２を背面部７０が設置されている面に接するようにする。つまり、正面部１０及び延長板部６２とを背面部７０と同一平面上にあるようにする。また、左側板部１００と右側板部１１０とを背面部７０に対して開いた状態とする。この状態では、左側面側ユニット２０Ａ（つまり、左側面部２０と内沿い板部２６とフラップ部３２）は展開した状態で正面部１０に対して折り返されるとともに、右側面側ユニット４０Ａ（つまり、右側面部４０と内沿い板部４６とフラップ部５２）は展開した状態で正面部１０に対して折り返されて、左側面側ユニット２０Ａと、右側面側ユニット４０Ａとは重なった状態となっている。また、設置ユニット１３０と一対の補強板部１５０は、背面部７０上に配置されている。
【００７４】
次に、図１２に示すように、設置ユニット１３０と一対の補強板部１５０とを取り出し、本体部５を展開した状態とする。なお、本体部５を組み立てる際には、糊代部９０を内側とするために図１２に示す状態から表裏を逆にして組み立てる。
【００７５】
次に、正面部１０を底面部８０に対して立設させるとともに、背面部７０を底面部８０に対して立設させ、差込み片部２２を開口部Ｋ４に差し込む（つまり、差込み片部２２を開口部Ｋ４に係止させる）とともに、差込み片部４２を開口部Ｋ５に差し込んで（つまり、差込み片部４２を開口部Ｋ５に係止させる）、正面部１０と左側面部２０と右側面部４０と背面部７０とで四角柱状（略四角柱状としてもよい）とする（図１３、図１４参照）。なお、図１３と図１４とは同じ状態を示している。
【００７６】
次に、延長板部６２を正面部１０に対して内側に折り返した状態とした後に、切欠部Ｋ２０を係合させることにより、一対の補強板部１５０を交差した状態として、本体部５内に収納する（図１５参照）。一対の補強板部１５０を本体部５内に収納した状態では、各補強板部１５０は本体部５内で対角状に配置される。
【００７７】
次に、図１６に示すように、内沿い板部２６を左側面部２０に対して内側に折り返した状態にするとともに、内沿い板部４６を右側面部４０に対して内側に折り返した状態にする。つまり、帯状部２４を左側面部２０に対して折り曲げるとともに、内沿い板部２６を帯状部２４に対して折り曲げて、内沿い板部２６を左側面部２０に対して内側に折り返した状態にするとともに、帯状部４４を右側面部４０に対して折り曲げるとともに、内沿い板部４６を帯状部４４に対して折り曲げて、内沿い板部４６を右側面部４０に対して内側に折り返した状態にする。
【００７８】
次に、図１７に示すように、延長板部１２２を背面部７０に対して内側に折り返した状態にするとともに、設置ユニット１３０をフラップ部１４２、１４４を商品載置板部１３２に対して下方に折り曲げた状態で、内沿い板部２６と内沿い板部４６間に配置し、その後、商品載置板部１３０を取り付ける。すなわち、商品載置板部１３２を一対の補強板部１５０上に載置させて、フラップ部１４０が正面部１０の内側に沿って配置され、フラップ部１４２が左側面部２０の内側に沿って配置され、フラップ部１４４が右側面部４０の内側に沿って配置されるようにし、さらに、突状部１３８ａを開口部Ｋ１に嵌合させ、突状部１３８ｂを開口部Ｋ２に嵌合させて、後板部１３４を背面部７０及び延長板部１２２の正面側に固定させる。以上のようにして、陳列台１が組み立てられる。陳列台１が組み立てられたら、商品載置板部１３２上に商品を載置して商品を陳列する。
【００７９】
次に、陳列台１の組立て状態から梱包状態とするには、上記と逆の手順を行えばよい。すなわち、突状部１３８ａの開口部Ｋ１への嵌合と突状部１３８ｂの開口部Ｋ２への嵌合を解除して、設置ユニット１３０を取り本体部５の内部から一対の補強板部１５０を取り出す。この状態では、本体部５は、図１３、図１４に示す状態となっている。次に、本体部５において、差込み片部２２を開口部Ｋ４から抜き取るとともに、差込み片部４２を開口部Ｋ５から抜き取り、差込み片部と開口部の係合を解除し、図１２に示すように、本体部５を平面上（例えば、水平面上）に展開した状態とする。その際、組立て状態における外側の面を梱包状態で内側とするために、外側の面（糊代部９０が形成されていない側の面）を上側にして展開する。
【００８０】
次に、図１１に示すように、左側面側ユニット２０Ａを正面部に対して折り返すとともに、右側面側ユニット４０Ａを正面部に対して折り返す。すなわち、後述のように、本体部第１構成部Ａ１を本体部第２構成部Ａ２側に回動させた際に、左側面側ユニット２０Ａと右側面側ユニット４０Ａとが正面部１０の内側となるように、本体部５の展開状態において正面部１０の上側（上面側）に左側面側ユニット２０Ａと右側面側ユニット４０Ａを折り返す。その際、左側面側ユニット２０Ａを折れ線Ｃ１３を介して二つ折りにし、右側面側ユニット４０Ａを折れ線Ｃ２３を介して二つ折りにして、左側面側ユニット２０Ａの上端部分と右側面側ユニット４０Ａの上端部分が突出しないようにする。つまり、左側面側ユニット２０Ａを折れ線Ｃ１３を介して二つ折りにするには、第２構成部３０を第１構成部２８の外側（組立て状態では内側となる面に向けて）折り返し、右側面側ユニット４０Ａを折れ線Ｃ２３を介して二つ折りにするには、第２構成部５０を第１構成部４８の外側（組立て状態では内側となる面に向けて）折り返す。特に、折れ線Ｃ１３、Ｃ２３は左右方向に形成されているので、左側面側ユニット２０Ａと右側面側ユニット４０Ａの突出長さを小さくすることができ、容易に梱包することができる。
【００８１】
また、一対の補強板部１５０と設置ユニット１３０を背面部７０上に配置する。図１１の例では、一対の補強板部１５０を背面部７０の上面に配置し、さらに、一対の補強板部１５０の上面に設置ユニット１３０を配置しているが、設置ユニット１３０を背面部７０の上面に配置し、さらに、設置ユニット１３０の上面に一対の補強板部１５０を配置してもよい。なお、一対の補強板部１５０は、切欠部Ｋ２０同士を係合した状態で、重ね合わせた状態にしておくのが好ましいが、一対の補強板部１５０の係合を解除して、各補強板部１５０を配置してもよい。また、設置ユニット１３０は、折れ線Ｃ７を介して二つ折りにした状態で配置する。
【００８２】
一対の補強板部１５０と設置ユニット１３０を背面部７０上に配置したら、図１１に示すように、底面部８０を折れ線Ｃ３１を介して二つ折りにする。その際、二つ折りにした底面部８０を一対の補強板部１５０の端部（底面部８０側の端部）と設置ユニット１３０の端部（底面部８０側の端部）の上側に覆い被せるようにする。
【００８３】
その後、左側板部１００を折れ線Ｃ４１を介して背面部７０に対して上側に折り曲げるとともに、第２構成部１０４を第１構成部１０２に対して折り曲げて、背面部７０の左側板部１００側の領域と第１構成部１０２と第２構成部１０４とを断面略コ字状になるようにする。その際、第２構成部１０４が、二つ折りにした底面部８０の上側に覆い被せるようにする。つまり、左側板部１００の第２構成部１０４が、底面部８０の第２構成部８４の上側に接するようにする。同様に、右側板部１１０を折れ線Ｃ５１を介して背面部７０に対して上側に折り曲げるとともに、第２構成部１１４を第１構成部１１２に対して折り曲げて、背面部７０の右側板部１１０側の領域と第１構成部１１２と第２構成部１１４とで断面略コ字状になるようにする。その際、第２構成部１１４が、二つ折りにした底面部８０の上側に覆い被せるようにする。つまり、右側板部１１０の第２構成部１１４が、底面部８０の第２構成部８４の上側に接するようにする。
【００８４】
次に、背面部７０の左側板部１００側の領域と第１構成部１０２と第２構成部１０４とを断面略コ字状とし、背面部７０の右側板部１１０側の領域と第１構成部１１２と第２構成部１１４とで断面略コ字状にした状態で、本体部第１構成部Ａ１を底面部８０と糊代部９０間の折れ線Ｃ３３を介して本体部第２構成部Ａ２側に回動させることにより、図１０に示す状態となる。
【００８５】
次に、延長板部１２２を帯状部１２０を介して背面部７０に対して略直角に折り曲げ、さらに、第２構成部１２６を第１構成部１２４に対して折り曲げて、差込み片部１２７を延長板部６２の開口部Ｋ３に差し込むことにより（つまり、差込み片部１２７を開口部Ｋ３に係止させる）、図９に示すように、陳列台１を梱包状態とすることができる。
【００８６】
なお、陳列台１の梱包状態では、左側板部１００の第２構成部１０４と右側板部１１０の第２構成部１１４とが本体部第１構成部Ａ１により押された状態となっているので、補強板部１５０や設置ユニット１３０は、左側板部１００側や右側板部１１０側から脱落することがない。また、底面部８０側においては、底面部８０は糊代部９０を介して正面部１０に接着されていて、底面部８０側が閉じた状態となっているので、補強板部１５０や設置ユニット１３０が、底面部８０側から脱落することがなく、また、延長板部１２２側も差込み片部１２７を開口部Ｋ３に差し込むことにより閉じた状態となるので、補強板部１５０や設置ユニット１３０が、底面部８０側から脱落することがない。
【００８７】
以上のように、陳列台１によれば、背面部７０と底面部８０と正面部１０と延長板部６２と左側板部１００と右側板部１１０と延長板部１２２を用いて梱包した状態とすることができ、本体部５の構成部材（すなわち、組立て状態を維持するために必要な部材）を梱包用の部材として利用するので、収納ケースを別途設ける必要がなく、コストを低減することができる。
【００８８】
また、収納ケースが別途設けられないので、陳列台１の使用状態（つまり、組立て状態）において、収納ケースを構成する部材が邪魔になることもない。背面部７０と底面部８０と正面部１０と延長板部６２と左側板部１００と右側板部１１０と延長板部１２２が梱包用の部材といえるが、陳列台１の組立て状態において、背面部７０は、四角柱状の背面を構成し、底面部８０は、四角柱状の底面を構成するとともに四角柱状の下端の外部から見えない位置にあり、正面部１０は、四角柱状の正面を構成し、延長板部６２は、正面部１０の内側に折り返されて四角柱状の正面を構成し、左側板部１００は、左側面部２０とともに四角柱状の左側面を構成するとともに、左側面部２０の内側に位置して見えない位置にあり、右側板部１１０は、右側面部４０とともに四角柱状の右側面を構成するとともに、右側面部４０の内側に位置して見えない位置にあり、延長板部１２２は、背面部７０に対して折り返されて四角柱状の背面を構成しており、梱包用の部材が、四角柱状の一部を構成するか、あるいは、外部から見えない位置にあるので、陳列台１の組立て状態において邪魔になることがない。
【００８９】
また、左側面部２０と右側面部４０と正面部１０と背面部７０の各部材は、それ自体折り畳む構成とはなっておらず、左側面部２０と右側面部４０と正面部１０と背面部７０の各部材をそれ自体折り畳む構成としなくても梱包状態とすることができるので、よって、これらの部材に折り畳み用の折れ線が形成されないので、陳列台１の使用状態において、見栄えが悪くなることがない。
【００９０】
なお、上記の説明において、内沿い板部２６は、左側面部２０から帯状部２４を介して連設され、内沿い板部４６は、右側面部４０から帯状部４４を介して連設され、延長板部６２は、正面部１０から帯状部６０を介して連設され、延長板部１２２は、帯状部１２０を介して背面部７０に連設され、糊代部９０は、帯状部８６に連設されているとしたが、各帯状部の構成を省略してもよい。すなわち、内沿い板部２６が左側面部２０から折れ線を介して連設され、内沿い板部４６が右側面部４０から折れ線介して連設され、延長板部６２が正面部１０から折れ線を介して連設され、延長板部１２２が背面部７０から折れ線を介して連設された構成としてもよく、また、底面部８０は、帯状部８６の構成を有さず、１つの折れ線により区画した構成とし、該折れ線により区画された一方の構成部が糊代部９０に折れ線を介して連設した構成としてもよい。
【００９１】
また、上記の説明において、本体部５は、本体部第１構成部Ａ１と本体部第１構成部Ａ２とから構成されている（つまり、本体部５は、２枚のシート状のブランクにより形成されている）としたが、本体部５を１枚のシート状のブランクにより形成してもよい。
【００９２】
また、上記の構成において、左側面側ユニット２０Ａから帯状部２４と内沿い板部２６とフラップ部３２とを削除した構成とし（つまり、左側面側ユニット２０Ａは、左側面部２０と差込み片部２２とから構成される）、右側面側ユニット４０Ａから帯状部４４と内沿い板部４６とフラップ部５２とを削除した構成とし（つまり、右側面側ユニット４０Ａは、右側面部４０と差込み片部４２とから構成される）、設置ユニット１３０の後板部１３４において、突状部１３８ａ、１３８ｂを削除した構成としてもよい。その場合には、後板部１３４の横方向の長さを背面部７０の横方向の長さと同一として、陳列台の組立て状態において、後板部１３４が左側面部２０と右側面部４０間に嵌合する構成とする。なお、延長板部１２２は、後板部１３４の背面側に配置される。
【００９３】
また、延長板部１２２に差込み片部１２７が設けられ、延長板部６２に開口部Ｋ３が設けられるとしたが、延長板部６２の先端（帯状部６０側とは反対側の端部）に差込み片部（例えば、差込み片部１２７と同様の構成の差込み片部）を設け、延長板部１２２の第２構成部１２６に該差込み片部を差し込む被差込み部としての開口部（例えば、開口部Ｋ３と同様の構成の開口部）又は切込みを形成してもよい。
【符号の説明】
【００９４】
１  陳列台
５  本体部
Ａ１  本体部第１構成部
Ａ２  本体部第２構成部
１０  正面部
２０  左側面部
２２、４２、１２７  差込み片部
２４、４４、６０、８６、１２０  帯状部
２６、４６  内沿い板部
２８、４８、８２、１０２、１１２、１２４  第１構成部
３０、５０、８４、１０４、１１４、１２６  第２構成部
３２、５２、１４０、１４２、１４４  フラップ部
４０  右側面部
６２、１２２  延長板部
７０  背面部
８０  底面部
９０  糊代部
１００  左側板部
１１０  右側板部
１３０  設置ユニット
１３２  商品載置板部
１３４  後板部
１３６  後板部本体部
１３８ａ、１３８ｂ  突状部
１５０  補強板部
Ｋ１、Ｋ２、Ｋ３、Ｋ４、Ｋ５  開口部
Ｋ１１、Ｋ１２、Ｋ２０  切欠部
【図１】
2014144078.tif 000003
【図２】
2014144078.tif 000004
【図３】
2014144078.tif 000005
【図４】
2014144078.tif 000006
【図５】
2014144078.tif 000007
【図６】
2014144078.tif 000008
【図７】
2014144078.tif 000009
【図８】
2014144078.tif 000010
【図９】
2014144078.tif 000011
【図１０】
2014144078.tif 000012
【図１１】
2014144078.tif 000013
【図１２】
2014144078.tif 000014
【図１３】
2014144078.tif 000015
【図１４】
2014144078.tif 000016
【図１５】
2014144078.tif 000017
【図１６】
2014144078.tif 000018
【図１７】
2014144078.tif 000019
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
陳列台であって、
本体部（５）と、本体部内に収納される一対の補強板部（１５０）と、本体部に設置される設置ユニット（１３０）とを有し、
本体部と補強板部と設置ユニットとが、シート状のブランクにより形成され、
本体部が、
略方形状の外形を有する正面部（１０）と、
正面部の左側面側の辺部から連設された左側面側ユニットで、
正面部の左側面側の辺部から連設された左側面部で、正面部側から正面部側の反対側に向けて上方に傾斜した上辺を有する左側面部（２０）と、
左側面部の正面部とは反対側の辺部から連設された第１差込み片部（２２）と、
左側面部の上辺から連設された第１内沿い板部で、左側面部の上辺における背面側の端部から形成された辺部である第１辺部を有する第１内沿い板部（２６）と、
第１内沿い板部の第１辺部から連設された第１フラップ部（３２）と、
を有し、第１内沿い板部の第１フラップ部側の端部に設置ユニットの突状部を係止するための被係止部（Ｋ１）が形成された左側面側ユニット（２０Ａ）と、
正面部の右側面側の辺部から連設された右側面側ユニットで、
正面部の右側面側の辺部から連設された右側面部で、正面部側から正面部側の反対側に向けて上方に傾斜した上辺を有する右側面部（４０）と、
右側面部の正面部とは反対側の辺部から連設された第２差込み片部（４２）と、
右側面部の上辺から連設された第２内沿い板部で、右側面部の上辺における背面側の端部から形成された辺部である第２辺部を有する第２内沿い板部（４６）と、
第２内沿い板部の第２辺部から連設された第２フラップ部（５２）と、
を有し、第２内沿い板部の第２フラップ部側の端部に設置ユニットの突状部を係止するための被係止部（Ｋ２）が形成された右側面側ユニット（４０Ａ）と、
正面部の上辺から連設された第１延長板部（６２）と、
正面部の下辺から連設された底面部で、左右方向に形成された折れ線を介して折曲げ可能に形成された底面部（８０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、互いに係合させることにより一対の補強板部を略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、
陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項２】
左側面部の上辺から連設され左側面部の上辺に沿って形成された第１帯状部が形成され、第１内沿い板部が、第１帯状部を介して左側面部の上辺から連設され、
右側面部の上辺から連設され右側面部の上辺に沿って形成された第２帯状部が形成され、第２内沿い板部が、第２帯状部を介して右側面部の上辺から連設され、
正面部の上辺から連設され正面部の上辺に沿って形成された第３帯状部が形成され、第１延長板部が、第３帯状部を介して正面部の上辺から連設され、
背面部の上辺から連設され背面部の上辺に沿って形成された第４帯状部が形成され、第２延長板部が、第４帯状部を介して背面部の上辺から連設され、
底面部が、正面部側の端部に左右方向に形成された第５帯状部を有し、第５帯状部が正面部の下辺から連設されていることを特徴とする請求項１に記載の陳列台。
【請求項３】
本体部が、正面部と左側面側ユニットと右側面側ユニットとを有する第１のブランクと、背面部と左側板部と右側板部と第２延長板部と底面部とを有する第２のブランクとから構成され、底面部の背面部とは反対側の辺部から糊代部（９０）が連設され、該糊代部が、正面部の下端領域に接着されていることを特徴とする請求項１又は２に記載の陳列台。
【請求項４】
陳列台であって、
本体部（５）と、本体部内に収納される一対の補強板部（１５０）と、本体部に設置される設置ユニット（１３０）とを有し、
本体部が、本体部第１構成部（Ａ１）と本体部第２構成部（Ａ２）とを有し、
本体部第１構成部と本体部第２構成部と補強板部と設置ユニットとが、シート状のブランクにより形成され、
本体部第１構成部が、
略方形状の外形を有する正面部（１０）と、
正面部の左側面側の辺部から連設された左側面側ユニットで、
正面部の左側面側の辺部から連設された左側面部で、正面部側から正面部側の反対側に向けて上方に傾斜した上辺を有する左側面部（２０）と、
左側面部の正面部とは反対側の辺部から連設された第１差込み片部（２２）と、
左側面部の上辺から連設され左側面部の上辺に沿って形成された第１帯状部（２４）と、
第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、
第１内沿い板部の第１辺部から連設された第１フラップ部（３２）と、
を有し、第１内沿い板部の第１フラップ部側の端部に設置ユニットの突状部を係止するための被係止部（Ｋ１）が形成された左側面側ユニット（２０Ａ）と、
正面部の右側面側の辺部から連設された右側面側ユニットで、
正面部の右側面側の辺部から連設された右側面部で、正面部側から正面部側の反対側に向けて上方に傾斜した上辺を有する右側面部（４０）と、
右側面部の正面部とは反対側の辺部から連設された第２差込み片部（４２）と、
右側面部の上辺から連設され右側面部の上辺に沿って形成された第２帯状部（４４）と、
第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、
第２内沿い板部の第２辺部から連設された第２フラップ部（５２）と、
を有し、第２内沿い板部の第２フラップ部側の端部に設置ユニットの突状部を係止するための被係止部（Ｋ２）が形成された右側面側ユニット（４０Ａ）と、
正面部の上辺から連設され正面部の上辺に沿って形成された第３帯状部（６０）と、
第３帯状部の正面部とは反対側の辺部から連設された第１延長板部（６２）と、を有し、
本体部第２構成部が、
左右方向に形成された折れ線を介して折曲げ可能に形成され、正面部側の端部に左右方向に形成された第５帯状部を有する底面部（８０）と、
底面部の第５帯状部の正面部側の辺部から連設され正面部に接着された糊代部で、底面部との間の折れ線が正面部の下辺に沿って形成された糊代部（９０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設され背面部の上辺に沿って形成された第４帯状部（１２０）と、
第４帯状部の背面部とは反対側の辺部から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、互いに係合させることにより一対の補強板部を略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態で切欠部同士を係合させて略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、
陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項５】
第１内沿い板部において、左側面部側の辺部と第１辺部の接点から形成された第１折れ線で左側面側ユニットの展開状態において、左右方向に形成された第１折れ線が形成され、第２内沿い板部において、右側面側の辺部と第２辺部の接点から形成された第２折れ線で右側面側ユニットの展開状態において、左右方向に形成された第２折れ線が形成され、
陳列台を梱包状態とする際に、左側面側ユニットを第１折れ線を介して二つ折りとし、右側面側ユニットを第２折れ線を介して二つ折りとすることを特徴とする請求項１又は２又は３又は４に記載の陳列台。
【請求項６】
陳列台であって、
本体部（５）と、本体部内に収納される一対の補強板部（１５０）と、本体部に設置される設置ユニット（１３０）とを有し、
本体部と補強板部と設置ユニットとが、シート状のブランクにより形成され、
本体部が、
略方形状の外形を有する正面部（１０）と、
正面部の左側面側の辺部から連設された左側面側ユニットで、
正面部の左側面側の辺部から連設された左側面部（２０）と、
左側面部の正面部とは反対側の辺部から連設された第１差込み片部（２２）と、を有する左側面側ユニット（２０Ａ）と、
正面部の右側面側の辺部から連設された右側面側ユニットで、
正面部の右側面側の辺部から連設された右側面部（４０）と、
右側面部の正面部とは反対側の辺部から連設された第２差込み片部（４２）と、を有する右側面側ユニット（４０Ａ）と、
正面部の上辺から連設された第１延長板部（６２）と、
正面部の下辺から連設された底面部で、左右方向に形成された折れ線を介して折曲げ可能に形成された底面部（８０）と、
底面部の正面部とは反対側の辺部から連設され略方形状の外形を有する背面部で、縦方向の長さが正面部の縦方向の長さよりも長く形成された背面部（７０）と、
背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、
背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、
背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、
を有し、第２延長板部の第２構成部と第１延長板部のそれぞれに、互いに係合する係止部が設けられ、
補強板部が、互いに係合させることにより一対の補強板部を略十字状とするための切欠部（Ｋ２０）を有し、
設置ユニットが、
組立て状態の本体部内に収納された一対の補強板部に載置する方形状の商品載置板部（１３２）と、
商品載置板部の辺部から連設された後板部（１３４）とを有し、
第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、
陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合することにより、陳列台が梱包状態となることを特徴とする陳列台。
【請求項７】
第２延長板部の第２構成部に設けられた係止部と第１延長板部に設けられた係止部の一方が第３差込み片部（１２７）であり、他方が該第３差込み片部を差し込むための被差込み部（Ｋ３）であることを特徴とする請求項１又は２又は３又は４又は５又は６に記載の陳列台。
【請求項８】
設置ユニットの商品載置板部において、後板部が連設された辺部以外の３つの辺部からフラップ部が連設され、陳列台の組立て状態において、商品載置板部から連設された各フラップ部は、本体部の内側に配置されることを特徴とする請求項１又は２又は３又は４又は５又は６又は７に記載の陳列台。
【手続補正２】
【補正対象書類名】明細書
【補正対象項目名】００１０
【補正方法】変更
【補正の内容】
【００１０】
本発明は上記問題点を解決するために創作されたものであって、第１には、陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設された第１内沿い板部で、左側面部の上辺における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設された第２内沿い板部で、右側面部の上辺における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする。
【手続補正３】
【補正対象書類名】明細書
【補正対象項目名】００１３
【補正方法】変更
【補正の内容】
【００１３】
なお、上記第１の構成を以下としてもよい。すなわち、「陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設された第１内沿い板部で、左側面部の上辺における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設された第２内沿い板部で、右側面部の上辺における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第１内沿い板部を左側面部に対して折り返すとともに、第２内沿い板部を右側面部に対して折り返し、第２延長板部を背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるととも右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。
【手続補正４】
【補正対象書類名】明細書
【補正対象項目名】００１８
【補正方法】変更
【補正の内容】
【００１８】
また、第４には、陳列台であって、本体部（５）と、本体部内に収納される一対の補強板部（１５０）と、本体部に設置される設置ユニット（１３０）とを有し、本体部が、本体部第１構成部（Ａ１）と本体部第２構成部（Ａ２）とを有し、本体部第１構成部と本体部第２構成部と補強板部と設置ユニットとが、シート状のブランクにより形成され、本体部第１構成部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設され左側面部の上辺に沿って形成された第１帯状部（２４）と、第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設され右側面部の上辺に沿って形成された第２帯状部（４４）と、第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設され正面部の上辺に沿って形成された第３帯状部（６０）と、第３帯状部の正面部とは反対側の辺部から連設された第１延長板部（６２）と、を有し、本体部第２構成部が、左右方向に形成された折れ線を介して折曲げ可能に形成され、正面部側の端部に左右方向に形成された第５帯状部を有する底面部（８０）と、底面部の第５帯状部の正面部側の辺部から連設され正面部に接着された糊代部で、底面部との間の折れ線が正面部の下辺に沿って形成された糊代部（９０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設され背面部の上辺に沿って形成された第４帯状部（１２０）と、第４帯状部の背面部とは反対側の辺部から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態で切欠部同士を係合させて略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする陳列台。
【手続補正５】
【補正対象書類名】明細書
【補正対象項目名】００２２
【補正方法】変更
【補正の内容】
【００２２】
なお、上記第４の構成を以下としてもよい。すなわち、「陳列台であって、本体部（５）と、本体部内に収納される一対の補強板部（１５０）と、本体部に設置される設置ユニット（１３０）とを有し、本体部が、本体部第１構成部（Ａ１）と本体部第２構成部（Ａ２）とを有し、本体部第１構成部と本体部第２構成部と補強板部と設置ユニットとが、シート状のブランクにより形成され、本体部第１構成部が、略方形状の外形を有する正面部（１０）と、正面部の左側面側の辺部から連設された左側面側ユニットで、正面部の左側面側の辺部から連設された左側面部で、正面部側から正面部側の反対側に向けて上方に傾斜した上辺を有する左側面部（２０）と、左側面部の正面部とは反対側の辺部から連設された第１差込み片部（２２）と、左側面部の上辺から連設され左側面部の上辺に沿って形成された第１帯状部（２４）と、第１帯状部の左側面部とは反対側の辺部から連設された第１内沿い板部で、第１帯状部の左側面部とは反対側の辺部における背面側の端部から形成された辺部である第１辺部を有する第１内沿い板部（２６）と、第１内沿い板部の第１辺部から連設された第１フラップ部（３２）と、を有し、第１内沿い板部の第１フラップ部側の端部に設置ユニットの突状部を係止するための被係止部（Ｋ１）が形成された左側面側ユニット（２０Ａ）と、正面部の右側面側の辺部から連設された右側面側ユニットで、正面部の右側面側の辺部から連設された右側面部で、正面部側から正面部側の反対側に向けて上方に傾斜した上辺を有する右側面部（４０）と、右側面部の正面部とは反対側の辺部から連設された第２差込み片部（４２）と、右側面部の上辺から連設され右側面部の上辺に沿って形成された第２帯状部（４４）と、第２帯状部の右側面部とは反対側の辺部から連設された第２内沿い板部で、第２帯状部の右側面部とは反対側の辺部における背面側の端部から形成された辺部である第２辺部を有する第２内沿い板部（４６）と、第２内沿い板部の第２辺部から連設された第２フラップ部（５２）と、を有し、第２内沿い板部の第２フラップ部側の端部に設置ユニットの突状部を係止するための被係止部（Ｋ２）が形成された右側面側ユニット（４０Ａ）と、正面部の上辺から連設され正面部の上辺に沿って形成された第３帯状部（６０）と、第３帯状部の正面部とは反対側の辺部から連設された第１延長板部（６２）と、を有し、本体部第２構成部が、左右方向に形成された折れ線を介して折曲げ可能に形成され、正面部側の端部に左右方向に形成された第５帯状部を有する底面部（８０）と、底面部の第５帯状部の正面部側の辺部から連設された糊代部で、底面部との間の折れ線が正面部の下辺に沿って形成された糊代部（９０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設され背面部の上辺に沿って形成された第４帯状部（１２０）と、第４帯状部の背面部とは反対側の辺部から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部で、第１内沿い板部に形成された被係止部に係止するための第１突状部（１３８ａ）と、第２内沿い板部に形成された被係止部に係止するための第２突状部（１３８ｂ）とを有する後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を第３帯状部を介して正面部の内側に折り返した状態で切欠部同士を係合させて略十字状とした一対の補強板部を本体部内に収納し、第１内沿い板部を第１帯状部を介して左側面部に対して折り返すとともに、第２内沿い板部を第２帯状部を介して右側面部に対して折り返し、第２延長板部を第４帯状部を介して背面部に対して内側に折り返して第１フラップ部及び第２フラップ部を背面部と第２延長板部とで挟んだ状態とし、設置ユニットの商品載置板部を一対の補強板部に載置するとともに、後板部の第１突状部を第１内沿い板部の被係止部に係止し、後板部の第２突状部を第２内沿い板部の被係止部に係止し後板部を第２延長板部の正面側に配置して設置ユニットを本体部に取り付けることにより、陳列台が組立て状態となり、陳列台の組立て状態から設置ユニットにおける第１突状部と第２突状部の係止を解除して設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、本体部第１構成部を底面部に対して回動させて正面部を第５帯状部を介して底面部に対して折り返した状態とし、左側板部の第２構成部の上面と右側板部の第２構成部の上面とに本体部第１構成部を配置し、第２延長板部の第１構成部を第４帯状部を介して背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。
【手続補正６】
【補正対象書類名】明細書
【補正対象項目名】００２４
【補正方法】変更
【補正の内容】
【００２４】
また、第６には、陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部（２０）と、左側面部の正面部とは反対側の辺部から連設された第１差込み片部（２２）と、を有する左側面側ユニット（２０Ａ）と、正面部の右側面側の辺部から連設された右側面側ユニットで、正面部の右側面側の辺部から連設された右側面部（４０）と、右側面部の正面部とは反対側の辺部から連設された第２差込み片部（４２）と、を有する右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部の上辺と平行な折れ線により背面部側の第１構成部と背面部側と反対側の第２構成部とに区画された第２延長板部（１２２）と、を有し、第２延長板部の第２構成部と第１延長板部のそれぞれに、互いに係合する係止部が設けられ（「第２延長板部の第２構成部と第１延長板部の一方に第３差込み片部（１２７）が設けられ、他方に該第３差込み片部を差し込むための被差込み部（Ｋ３）が設けられ」としてもよい）、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第２延長板部の第２構成部と第１延長板部のそれぞれに設けられた係止部を係合する（「第３差込み片部を第３差込み片部を差し込むための被差込み部に差し込む」としてもよい）ことにより、陳列台が梱包状態となることを特徴とする。
【手続補正７】
【補正対象書類名】明細書
【補正対象項目名】００２７
【補正方法】変更
【補正の内容】
【００２７】
なお、上記第６の構成を以下としてもよい。すなわち、「陳列台であって、本体部（５）と、本体部内に収納される一対の補強板部（１５０）と、本体部に設置される設置ユニット（１３０）とを有し、本体部と補強板部と設置ユニットとが、シート状のブランクにより形成され、本体部が、略方形状の外形を有する正面部（１０）と、正面部の左側面側の辺部から連設された左側面側ユニットで、正面部の左側面側の辺部から連設された左側面部（２０）と、左側面部の正面部とは反対側の辺部から連設された第１差込み片部（２２）と、を有する左側面側ユニット（２０Ａ）と、正面部の右側面側の辺部から連設された右側面側ユニットで、正面部の右側面側の辺部から連設された右側面部（４０）と、右側面部の正面部とは反対側の辺部から連設された第２差込み片部（４２）と、を有する右側面側ユニット（４０Ａ）と、正面部の上辺から連設された第１延長板部（６２）と、正面部の下辺から連設された底面部で、左右方向に形成された折れ線を介して折曲げ可能に形成された底面部（８０）と、底面部の正面部とは反対側の辺部から連設され略方形状の外形を有する背面部で、縦方向の長さが正面部の縦方向の長さよりも長く形成された背面部（７０）と、背面部の左側面側の辺部から連設された左側板部で、背面部側の端部に第１差込み片部を差し込むための被差込み部（Ｋ４）が形成され、背面部の左側面側の辺部と平行な折れ線により背面部側の第１構成部と背面部側と反対側の第２構成部とに区画された左側板部（１００）と、背面部の右側面側の辺部から連設された右側板部で、背面部側の端部に第２差込み片部を差し込むための被差込み部（Ｋ５）が形成され、背面部の右側面側の辺部と平行な折れ線により背面部側の第１構成部と背面部側と反対側の第２構成部とに区画された右側板部（１１０）と、背面部の底面部とは反対側の辺部である上辺から連設された第２延長板部で、背面部と反対側に第３差込み片部（１２７）を有し、背面部の上辺と平行な折れ線により背面部側の第１構成部と背面部側と反対側の第２構成部とに区画された第２延長板部（１２２）と、を有し、第１延長板部には、第３差込み片部を差し込むための被差込み部（Ｋ３）が形成され、補強板部が、互いに係合させることにより一対の補強板部を略十字状とするための切欠部（Ｋ２０）を有し、設置ユニットが、組立て状態の本体部内に収納された一対の補強板部に載置する方形状の商品載置板部（１３２）と、商品載置板部の辺部から連設された後板部（１３４）とを有し、第１差込み片部を左側板部の被差込み部に差し込むとともに、第２差込み片部を右側板部の被差込み部に差し込むことにより、正面部と左側面部と右側面部と背面部とで略四角柱状に形成し、第１延長板部を正面部の内側に折り返した状態で切欠部同士を係合させて略十字状とした一対の補強板部を本体部内に収納し、第２延長板部を背面部に対して内側に折り返し、設置ユニットの商品載置板部を一対の補強板部に載置するとともに、後板部を第２延長板部の正面側に配置して設置ユニットを本体部に取り付けることにより、陳列台が組立て状態となり、陳列台の組立て状態から設置ユニットを本体部から取り外し、一対の補強板部を本体部から取り出し、本体部を展開した状態で、左側面側ユニットと右側面側ユニットとを正面部に対して折り返して左側面側ユニットと右側面側ユニットとを重ねた状態とするとともに、背面部に、一対の補強板部と、商品載置板部と後板部間の折れ線を介して二つ折りとした設置ユニットとを載置し、その後、底面部を折れ線を介して内側に折り曲げた状態として背面部側に回動させ、左側板部の第１構成部を背面部に対して折り曲げるとともに左側板部の第２構成部を左側板部の第１構成部に対して折り曲げて、底面部の上側に左側板部の第２構成部を配置するとともに、右側板部の第１構成部を背面部に対して折り曲げるとともに右側板部の第２構成部を右側板部の第１構成部に対して折り曲げて、底面部の上側に右側板部の第２構成部を配置させ、正面部と左側面側ユニットと右側面側ユニットと第１延長板部とからなる本体部構成ユニットを底面部に対して回動させて左側板部の第２構成部の上面と右側板部の第２構成部の上面とに本体部構成ユニットを配置し、第２延長板部の第１構成部を背面部に対して折り曲げるとともに、第２延長板部の第２構成部を第２延長板部の第１構成部に対して折り曲げ、第３差込み片部を第１延長板部の被差込み部に差し込むことにより、陳列台が梱包状態となることを特徴とする。」としてもよい。